(57)【要約】  【課題】  トロイダルコイルの垂直偏向コイルを備えたカラー受像管装置においてもＹＶや上下台形歪を最適調整できるカラー受像管装置を提供する。  【解決手段】  フェライトコア６は上側コア７と下側コア８とに分割されており、上側コア７、下側コア８に垂直偏向コイルがトロイダル巻されており、垂直偏向コイルは、Ｘ軸及びＹ軸で仕切られる４つの部分に分割して巻回されており、上側コア７に巻回されたコイルと下側コア８に巻回されたコイルとでは巻線方向が逆であり、上側コアに巻回されたコイルは、中間タップ５３、５４を介して接続されており、下側コア８に巻回されたコイルは、中間タップ５７、５８を介して接続されており、Ｙ軸より右側の２つのコイル４９、５０同士が接続されており、中間タップ５４と５７との間に、可変抵抗６０が接続されており、コイル４９、５０が接続されたコイル群６２の電流量を調整できる。  【選択図】図２
2006190519.tif 000002
【特許請求の範囲】
【請求項１】
陰極線管と、前記陰極線管の外部を囲むように配置された偏向ヨークとを備え、電子銃から放射された３本の電子ビームが、前記偏向ヨークからの水平偏向磁界及び垂直偏向磁界によって偏向されて、スクリーン上にカラー画像を形成するカラー受像管装置であって、
前記偏向ヨークは、水平偏向コイル、垂直偏向コイル、及びフェライトコアを含んでおり、前記フェライトコアは上側コアと下側コアとに分割されており、
前記上側コア、前記下側コアのそれぞれに前記垂直偏向コイルがトロイダル巻されており、
前記陰極線管の管軸を通る画面垂直方向の軸をＹ軸、前記管軸を通る画面水平垂直方向の軸をＸ軸とすると、前記フェライトコアを前記スクリーン側から見たときに、前記垂直偏向コイルは、Ｘ軸及びＹ軸で仕切られる４つの部分に分割して巻回されており、
前記上側コアに巻回されたコイルと前記下側コアに巻回されたコイルとでは巻線方向が逆であり、
前記上側コアに巻回されたコイルは、第１の中間タップを介して接続されており、前記下側コアに巻回されたコイルは、第２の中間タップを介して接続されており、
前記フェライトコアを前記スクリーン側から見たときに、前記４つの部分に分割されたコイルのうち、Ｙ軸より右側又は左側のいずれか一方の側の２つのコイル同士が接続されており、
前記第１の中間タップと前記第２の中間タップとの間に、可変抵抗が接続されており、前記２つのコイル同士が接続されたコイル群の電流量を調整できることを特徴とするカラー受像管装置。
【請求項２】
前記Ｙ軸より右側の２つのコイル同士が接続されて右側コイル群を形成しており、前記４つの部分に分割されたコイルを前記スクリーン側から見たときに、Ｙ軸より左側でＸ軸より上側の領域に巻回されたコイルを上側コア左側コイル、Ｙ軸より左側でＸ軸より下側の領域に巻回されたコイルを下側コア左側コイルとすると、垂直偏向電流は、前記上側コア左側コイル、前記右側コイル群、前記下側コア左側コイルの順又はその逆に流れる請求項１に記載のカラー受像管装置。
【請求項３】
前記上側コア左側コイル及び前記下側コア左側コイルに、固定抵抗が並列接続されている請求項２に記載のカラー受像管装置。
【請求項４】
前記Ｙ軸より左側の２つのコイル同士が接続されて左側コイル群を形成しており、前記４つの部分に分割されたコイルを前記スクリーン側から見たときに、Ｙ軸より右側でＸ軸より上側の領域に巻回されたコイルを上側コア右側コイル、Ｙ軸より右側でＸ軸より下側の領域に巻回されたコイルを下側コア右側コイルとすると、垂直偏向電流は、前記下側コア右側コイル、前記左側コイル群、前記上側コア右側コイルの順又はその逆に流れる請求項１に記載のカラー受像管装置。
【請求項５】
前記下側コア右側コイル及び前記上側コア右側コイルに、固定抵抗が並列接続されている請求項４に記載のカラー受像管装置。
【請求項６】
前記フェライトコアは、内側に凸部の形成されたスロットコアである請求項１から５のいずれかに記載のカラー受像管装置。
【発明の詳細な説明】
【技術分野】
【０００１】
本発明は、テレビジョン又はコンピュータディスプレイ等に用いられるカラー受像管装置に関し、詳しくはインライン型カラー受像管の偏向ヨークに関する。
【背景技術】
【０００２】
陰極線管装置においては、真空外囲器を構成する漏斗状のガラス製のファンネルのコーン部の外周を囲むように、偏向ヨークが設けられている。偏向ヨークの発生する水平、垂直偏向磁界により、電子銃から発せられる３本の電子ビームは、偏向され、シャドウマスクを介して蛍光体スクリーン上を水平、垂直走査することにより、カラー画像が表示されることになる。偏向ヨークは、垂直偏向コイルと水平偏向コイルとを備えており、通常、垂直偏向コイルは、フェライトコア（以下、「コア」という。）に巻回されている。
【０００３】
図４は、従来の垂直偏向コイルが巻回されたコアの一例の断面図である。図４は、サドル−トロイダル型偏向ヨーク（ＳＴＤＹ）の例を示している。水平偏向コイルは、金型巻によるサドルコイル（図示せず）とし、垂直偏向コイル６１は、フェライトコア６０に直接巻回したトロイダルコイルである。コア６０は上下分割されているため、垂直偏向コイル６１は、上下分割のコイルとなる。
【０００４】
ここで、トロイダルコイルのコアが上下方向で分割されている理由について説明する。まず、垂直偏向コイルのトロイダルコイルの巻線は水平軸（Ｘ軸）上から±２０°付近を除く領域に巻線され、最適磁界分布を得る。トロイダルコイルの巻線は分割されたコアの一つを分割面の一方で保持した状態で巻線を行う。この巻線の保持機構のスペースを確保するために、分割面から１８°までに巻線をすることができない範囲（デッドゾーンと呼ぶ）がある。
【０００５】
このデッドゾーンはコアが左右分割の場合、分割面が垂直軸（Ｙ軸）となり、垂直軸から±１８°に巻線ができなくなり、垂直軸上付近の巻線が不可能となり、所望の磁界分布を得ることができない。
【０００６】
一方、コアが上下分割の場合、分割面が水平軸となり、水平軸から±１８°に巻線ができなくなるが、前述のようにトロイダルコイルの巻線は水平軸上から±２０°付近をのぞく領域に巻線分布が必要なため、所望の磁界分布を得ることができる。
【０００７】
次に、差動抵抗を使ったＹＶ、台形歪調整について説明する。なお、ＹＶとはミスコンバーゼンスのパターンのことであり、Ｙ軸上の上部または下部においてＲ（赤）とＢ（青）とが重なり合わずに位置ずれしたパターンのことである。垂直コイルがサドルコイルの場合、コアを必要とせず左右分割タイプとなる。このため、図５に示したように、左のサドルコイル１１と右のサドルコイル１２とを直列接続し、差動抵抗１３により左右のコイルに流れる電流のバランスを変えることができる。このことにより、垂直コイルについて擬似的に左右ティルトの効果を与えることができる。
【０００８】
この構成によれば、ＹＶミスコンバーゼンスと上下台形歪とを可変させることができ、結果として陰極線管と偏向ヨークとを組み合わせたときに発生するＹＶ、台形歪を最適調整することができる。
【０００９】
また、別な技術として水平コイルから垂直コイルに誘起される電圧によって発生するリンギングと呼ばれるノイズを、垂直コイルに並列にダンピング抵抗を接続してノイズ成分のフィルターとすることにより、抑制する技術がある。
【００１０】
特に、特許文献１には、多層巻線法とよばれる１層巻線ごとに初期巻線位置にもどる巻線法において、巻線の途中で中間タップを取り出し、抵抗、コンデンサによるダンピング回路を接続させて、リンギングを除去する技術が提案されている。
【００１１】
次に、前記のようにトロイダルコイルは、コアにより上下分割されている。この構成において、ＹＶミスコンバーゼンスと上下台形歪とを可変させるには、上下のコイルを中間タップにより左右分割することが考えられる。この場合、上下のコイル配線が対称になるように結線し、差動抵抗により左右コイルに流れる電流のバランスを変えることになる。この際の巻線は、通常は上側コイル、下側コイルの区別なく同方向に、トロイダル巻線されることになる。
【００１２】
この結線には、図６に示した結線と、図７に示した結線の２種類の結線がある。
【００１３】
図６（ａ）は巻線状態を示すためのコアの断面図であり、図６（ｂ）は結線図を示している。図６に示した結線は、中間タップ１９と下側コア巻き終わり線２０とを介して、上側コア左側コイル１４と下側コア左側コイル１５とが結線されている。このため、上側コア巻き始め線１８からの電流は、上側コア左側コイル１４、下側コア左側コイル１５に順に流れる。
【００１４】
また、中間タップ２１と中間タップ２２とが結線され、上側コア巻き終わり線２３と中間タップ２４とを介して上側コア右側コイル１６と下側コア右側コイル１７とが結線されている。このため、中間タップ２１からの電流は、上側コア右側コイル１６、下側コア右側コイル１７の順に流れ、下側コア巻き始め２５線より出て行く。また、下側コア巻き始め２５線を電流の入り口とし、前記とは逆に電流を流してもよい。
【００１５】
図７（ａ）の結線においては、中間タップ３１と上側コア巻き始め線３２とが結線されている。このため、下側コア巻き終わり線３０からの電流は、下側コア左側コイル２６、上側コア左側コイル２７の順に電流が流れる。中間タップ３３と中間タップ３４とが結線され、下側コア巻き始め線３５と中間タップ３６とを介して、下側コア右側コイル２８と上側コア右側コイル２９とが結線されている。
【００１６】
このため、中間タップ３３からの電流は、下側コア右側コイル２８、上側コア右側コイル２９の順に流れ、上側コア巻き終わり線３７から別回路へ流れ出て行く。また、上側コア巻き終わり線３７を電流の入り口とし、前記とは逆に電流を流してもよい。
【００１７】
図６（ｂ）の結線では、上側左側コイル１４と下側左側コイル１５とが左側コイル群３８を形成し、上側右側コイル１６と下側右側コイル１７とで右側コイル群３９を形成している。この構成においては、差動抵抗４０によって左側コイル群３８と右側コイル群３９への電流バランスを調整することにより、ＹＶ調整、上下台形歪が調整できる。
【００１８】
図７（ｂ）の結線においても同様に、左側コイル群４３、右側コイル群４４を形成し、差動抵抗４５によって電流バランスを調整し、ＹＶ調整、上下台形歪が調整できることになる。
【００１９】
なお、図６（ｂ）の結線においては、左側コイル群３８、右側コイル群３９のそれぞれに１００Ωの固定抵抗４１、４２を並列接続させてダンピング効果を図っている。また、図７（ｂ）の結線においては、左側コイル群４３、右側コイル群４４のそれぞれに１００Ωの固定抵抗４６、４７を並列接続させてダンピング効果を図っている。
【特許文献１】特開平６−１３９９５９号公報
【発明の開示】
【発明が解決しようとする課題】
【００２０】
しかしながら、前記のような従来の結線では、上下コアのそれぞれ左右のコイル分割位置での電圧差が他の層間電圧差よりも大きくなり、この電圧差により、リンギング現象が発生するという問題があった。また、多層巻ではコイルを左右に分割することが困難であり、ＹＶミスコンバーゼンスと上下台形歪との調整ができないという問題があった。
【００２１】
本発明は、前記のような従来の問題を解決するものであり、トロイダルコイルの垂直偏向コイルを備えたカラー受像管においても、リンギングを抑制しながらＹＶミスコンバーゼンスや上下台形歪を小さくできるカラー受像管を提供することを目的とする。
【課題を解決するための手段】
【００２２】
前記目的を達成するために本発明のカラー受像管装置は、陰極線管と、前記陰極線管の外部を囲むように配置された偏向ヨークとを備え、電子銃から放射された３本の電子ビームが、前記偏向ヨークからの水平偏向磁界及び垂直偏向磁界によって偏向されて、スクリーン上にカラー画像を形成するカラー受像管装置であって、前記偏向ヨークは、水平偏向コイル、垂直偏向コイル、及びフェライトコアを含んでおり、前記フェライトコアは上側コアと下側コアとに分割されており、前記上側コア、前記下側コアのそれぞれに前記垂直偏向コイルがトロイダル巻されており、前記陰極線管の管軸を通る画面垂直方向の軸をＹ軸、前記管軸を通る画面水平垂直方向の軸をＸ軸とすると、前記フェライトコアを前記スクリーン側から見たときに、前記垂直偏向コイルは、Ｘ軸及びＹ軸で仕切られる４つの部分に分割して巻回されており、前記上側コアに巻回されたコイルと前記下側コアに巻回されたコイルとでは巻線方向が逆であり、前記上側コアに巻回されたコイルは、第１の中間タップを介して接続されており、前記下側コアに巻回されたコイルは、第２の中間タップを介して接続されており、前記フェライトコアを前記スクリーン側から見たときに、前記４つの部分に分割されたコイルのうち、Ｙ軸より右側又は左側のいずれか一方の側の２つのコイル同士が接続されており、
前記第１の中間タップと前記第２の中間タップとの間に、可変抵抗が接続されており、前記２つのコイル同士が接続されたコイル群の電流量を調整できることを特徴とする。
【発明の効果】
【００２３】
本発明によれば、トロイダルコイルの垂直偏向コイルを備えたカラー受像管においても、リンギングを抑制しながらＹＶミスコンバーゼンスや上下台形歪を小さくすることができる。
【発明を実施するための最良の形態】
【００２４】
本発明のカラー受像管装置は、上下の各コアにおいて隣接した２つのコイル間を中間タップを介して接続し、かつコイル同士が接続された右側コイル群又は左側コイル群の電流量を調整できるので、リンギングを抑制しながらＹＶミスコンバーゼンスや上下台形歪を小さくすることができる。
【００２５】
前記本発明のカラー受像管装置においては、前記Ｙ軸より右側の２つのコイル同士が接続されて右側コイル群を形成しており、前記４つの部分に分割されたコイルを前記スクリーン側から見たときに、Ｙ軸より左側でＸ軸より上側の領域に巻回されたコイルを上側コア左側コイル、Ｙ軸より左側でＸ軸より下側の領域に巻回されたコイルを下側コア左側コイルとすると、垂直偏向電流は、前記上側コア左側コイル、前記右側コイル群、前記下側コア左側コイルの順又はその逆に流れることが好ましい。
【００２６】
また、前記上側コア左側コイル及び前記下側コア左側コイルに、固定抵抗が並列接続されていることが好ましい。この構成によれば、左右のコイルのバランス調整範囲を変えることができる。
【００２７】
また、前記Ｙ軸より左側の２つのコイル同士が接続されて左側コイル群を形成しており、前記４つの部分に分割されたコイルを前記スクリーン側から見たときに、Ｙ軸より右側でＸ軸より上側の領域に巻回されたコイルを上側コア右側コイル、Ｙ軸より右側でＸ軸より下側の領域に巻回されたコイルを下側コア右側コイルとすると、垂直偏向電流は、前記下側コア右側コイル、前記左側コイル群、前記上側コア右側コイルの順又はその逆に流れることが好ましい。
【００２８】
また、前記下側コア右側コイル及び前記上側コア右側コイルに、固定抵抗が並列接続されていることが好ましい。この構成によれば、左右のコイルのバランス調整範囲を変えることができる。
【００２９】
また、前記フェライトコアは、内側に凸部の形成されたスロットコアであることが好ましい。この構成によれば、凸部を設けない構成と比べて、コアを陰極線管に近づけることができるため、偏向感度を高めることができ偏向電力の低減に有利になる。また、コイルに磁束が鎖交しにくくなり、渦電流損失が低減して偏向ヨークの発熱を低減させることもできる。
【００３０】
以下、本発明の一実施の形態について、図面を参照しながら説明する。図１は、本発明の一実施の形態に係るカラー受像管装置の側面図である。本図に示したカラー受像管装置は、陰極線管１と偏向ヨーク２とを備えている。陰極線管１は、外囲器及びこれに付属した構成部品とを備えている。外囲器は、内面にスクリーン面が形成された前面平面パネル３と漏斗状のファンネル４とで構成されている。ファンネル４のネック部４ａ内には、３本の電子ビームを放出する電子銃３が設置されている。
【００３１】
また、ファンネル４の外部を囲むように、偏向ヨーク２及びコンバーゼンスヨーク５が装着されている。偏向ヨーク２は、水平偏向コイルと垂直偏向コイルとを備えており、これらから発生する水平、垂直偏向磁界により、電子銃３から発せられる３本の電子ビームは水平及び垂直偏向されることになる。このことにより、３本の電子ビームは、シャドウマスク（図示せず）を介してスクリーン面上を水平、垂直走査され、カラー画像が表示されることになる。
【００３２】
以下の説明において、陰極線管１の管軸（Ｚ軸）を通る画面垂直方向の軸をＹ軸、管軸を通る画面水平方向の軸をＸ軸とする。また、右側、左側は、偏向ヨーク２をスクリーン側から見たときのＹ軸を基準とする。また、上側、下側は、Ｘ軸を基準にする。
【００３３】
本発明の詳細を説明する前に、図６、７のような従来の結線における問題として挙げたリンギング現象について、より具体的に説明する。図６（ｂ）の結線図において、上側コア巻き始め線１８に入った垂直偏向電流は、上側コア左側コイル１４、下側コア左側コイル１５、上側コア右側コイル１６、下側コア右側コイル１７の順に流れ、下側コア巻き終り線２５から出て行く。
【００３４】
ここで、図６（ａ）に示したように、上側コア左側コイル１４と上側コア右側コイル１６とは、上側コア上に隣接して巻回されており、両コイルの巻線間の距離は小さくなっている。一方、結線回路としては、上側コア左側コイル１４と上側コア右側コイル１６とは直接接続されておらず、両コイル間には、下側コア左側コイル１５が介在している
したがって、図６（ｂ）の結線によれば、上側コアの隣接した２つのコイル間に、層間電圧をはるかに越える大きな電圧差が生じていることになる。層間電圧とは、４つのコイルに電流の流れる順に番号を付した場合に、Ｎ番目（Ｎは１から４の整数）のコイルと、Ｎ＋１番目のコイルとの間の電圧差のことである。
【００３５】
また、図６（ａ）に示したように、下側コア左側コイル１５と下側コア右側コイル１７とは、下側コア上に隣接して巻回されており、両コイルの巻線間の距離は小さくなっている。一方、結線回路としては、下側コア左側コイル１５と下側コア右側コイル１７とは直接接続されておらず、両コイル間には、上側コア右側コイル１６が介在している。このため、下側コアについても、隣接した２つのコイル間に、層間電圧をはるかに越える大きな電圧差が生じていることになる
以上、図６の例で説明したが、図７の例においても同様であり、隣接した上側コア左側コイル２７と上側コア右側コイル２９との間、及び隣接した下側コア左側コイル２６と下側コア右側コイル２８との間にも層間電圧をはるかにこえる大きい電圧差が生じていることになる。
【００３６】
すなわち、図６、図７のいずれの構成においても、上側コアの左右のコイル、下側コアの左右のコイルは、それぞれ左右のコイルが隣接した位置にありながら層間電圧を越える大きな電圧差が生じており、中間タップ位置に高い電圧差が生じていることになる。このことがリンギング現象を引き起こす原因になっている。
【００３７】
以下、本発明の一実施の形態について具体的に説明する。図２（ａ）は、本実施の形態に係る偏向ヨークのうち垂直偏向コイルが巻回されたコア部分の断面図である。図２（ａ）は、コアをスクリーン側から見たときの断面図である。図２（ｂ）は、図２（ａ）に示した垂直偏向コイルの結線図を示している。
【００３８】
図２は、サドル−トロイダル型偏向ヨーク（ＳＴＤＹ）の例を示している。水平偏向コイルは、金型巻によるサドルコイル（図示せず）とし、垂直偏向コイルは、コア６に直接巻回したトロイダルコイルである。コア６は上側コア７と下側コア８とに分割されているため、垂直偏向コイルは上下分割のコイルとなる。
【００３９】
図２の構成は、上側コア７への巻線方向と下側コア８への巻線方向とを逆にしている。このため、図２（ａ）のようにコア６をスクリーン側から見たときに、上側コア７への巻線に上側コア７の外周側から内周側に向けて電流が流れているときは、下側コア８の巻線には下側コア８の内周側から外周側に向けて電流が流れていることになる。このことにより、電子ビームを垂直方向（Ｙ軸方向）に偏向させることができ、各コイルは垂直偏向コイルとしての機能を果たすことになる。
【００４０】
図２（ａ）、（ｂ）において、上側コア左側コイル４８と上側コア右側コイル４９とは、中間タップ５３及び中間タップ５４を介して接続されており、上側コア７の巻線は中間タップ５３、５４を介して左右に分割されている。この結線によれば、上側コアの巻始め線５２から上側コア左側コイル４８に入った垂直偏向電流は、中間タップ５３、５４を経て上側コア右側コイル４９に流れる。
【００４１】
上側コア右側コイル４９と下側コア右側コイル５０とは、上側コアの巻終わり線５５及び下側コアの巻始め線５６を介して接続されて、右側コイル群６２を形成している。また、下側コア右側コイル５０と下側コア左側コイル５１とは、中間タップ５７、５８を介して接続されており、下側コア８の巻線は中間タップ５７、５８を介して左右に分割されている。
【００４２】
この結線によれば、上側コアの巻終わり線５５から下側コアの巻始め線５６に入った垂直偏向電流は、中間タップ５７及び中間タップ５８を経て、下側コア右側コイル５０、下側コア左側コイル５１の順に流れる。この後、下側コアの巻き終わり線５９より、垂直偏向電流が出て行くことになる。
【００４３】
中間タップ５４と中間タップ５７との間に、可変抵抗６０が接続されている。すなわち、右側コイル群６２を形成する上側コア右側コイル４９及び下側コア右側コイル５０と並列に、可変抵抗６０が接続されている。可変抵抗６０は、例えば１００Ωの可変抵抗である。このことにより、右側コイル群６２の電流量を調整できるので、右側コイル群６２と左側コイル群（上側コア左側コイル４８及び下側コア左側コイル５１）との電流バランスを調整できる。
【００４４】
なお、図２（ｂ）の例では、バランス調整に制限を設けるため可変抵抗６０に直列に固定抵抗６１を接続している。固定抵抗６１は、可変抵抗６０を１００Ωとした例では、例えば１００Ωである。また、左側コイル群の上側コア左側コイル４８及び下側コア左側コイル５１のそれぞれに固定抵抗を並列接続させてバランス調整範囲を変えるようにしてもよい。
【００４５】
図２に示した結線によれば、上下の各コア７、８において隣接した２つのコイル間の電圧差は単なる層間電圧に過ぎず、結果としてリンギング発生が抑制されることになる。
【００４６】
図３は、本実施の形態の別の例に係る巻線状態を示す図である。図３（ａ）は、コアをスクリーン側から見たときの断面図である。図３（ｂ）は、図３（ａ）に示した垂直偏向コイルの結線図を示している。図３（ａ）、（ｂ）において、下側コア右側コイル６３と下側コア左側コイル６４とは、中間タップ６８、中間タップ６９を介して接続されており、下側コア８の巻線は中間タップ６８、６９を介して左右に分割されている。この結線によれば、下側コア８の巻始め線６７から下側コア右側コイル６３に入った垂直偏向電流は、中間タップ６８、６９を経て、下側コア左側コイル６４に流れ、下側コア８の巻き終わり線７０より出て行くことになる。
【００４７】
下側コア左側コイル６４の巻き終わり線７０と、上側コア左側コイル６５の巻き始め線７１とが接続されて、左側コイル群７７を形成している。また、上側コア左側コイル６５と上側コア右側コイル６６とは、中間タップ７２及び中間タップ７３を介して接続されている。このことにより、上側コア７の巻線は中間タップ７２、７３を介して左右に分割されている。
【００４８】
この結線によれば、上側コア左側コイル６５の巻き始め線７１から上側コア左側コイル６５に入った垂直偏向電流は、中間タップ７２、７３を経て、上側コア右側コイル６６に流れ、上側コア右側コイル６６の巻き終わり線７４より、垂直偏向電流が出て行くことになる。
【００４９】
図３（ｂ）に示したように、中間タップ６９と中間タップ７２との間に、可変抵抗７５が接続されている。すなわち、左側コイル群７７を形成する上側コア左側コイル６５及び下側コア左側コイル６４と並列に、可変抵抗７５が接続されている。可変抵抗７５は、例えば１００Ωの可変抵抗である。このことにより、左側コイル群７７の電流量を調整できるので、左側コイル群７７と右側コイル群（上側コア右側コイル６６及び下側コア右側コイル６３）との電流バランスを調整できる。
【００５０】
また、図３（ｂ）の例では、バランス調整に制限を設けるため可変抵抗７５に直列に固定抵抗７６を接続している。固定抵抗７６は、可変抵抗７５を１００Ωとした例では、例えば１００Ωである。また、右側コイル群の上側コア右側コイル６６及び下側コア左側コイル６３のそれぞれに固定抵抗を並列接続させてバランス調整範囲を変えるようにしてもよい。
【００５１】
図３に示した結線においても図２の結線と同様に、上下の各コア７、８において隣接した２つのコイル間の電圧差は単なる層間電圧に過ぎず、結果としてリンギング発生が抑制されることになる。
【００５２】
なお、図２、３の構成において、電流の流れる順序は、前記の説明と逆にしてもよい。
【００５３】
また、上側コア７、下側コア８として、内面に管軸方向に向かって突出した凸部を設けたスロットコアを用いてもよい。この場合、凸部間の凹部に、垂直偏向コイルを巻回することになる。この構成によれば、凸部を設けない構成と比べて、コアを陰極線管に近づけることができるため、偏向感度を高めることができ偏向電力の低減に有利になる。また、コイルに磁束が鎖交しにくくなり、渦電流損失が低減して偏向ヨークの発熱を低減させることもできる。
【産業上の利用可能性】
【００５４】
以上のように本発明は、トロイダルコイルにおいても、ＹＶや上下台形歪を最適調整できるので、例えばテレビジョン、コンピュータディスプレイに用いられるカラー受像管装置として有用である。
【図面の簡単な説明】
【００５５】
【図１】本発明の一実施の形態に係るカラー受像管の外観図。
【図２】本実施の一実施の形態に係る巻線状態を示す図であり、（ａ）はコアをスクリーン側から見たときの断面図、（ｂ）は（ａ）に示した垂直偏向コイルの結線図。
【図３】本実施の別の実施の形態に係るコアの巻線状態を示す図であり、（ａ）はコアをスクリーン側から見たときの断面図、（ｂ）は（ａ）に示した垂直偏向コイルの結線図。
【図４】従来の垂直偏向コイルが巻回されたコアの一例の断面図。
【図５】従来の垂直サドルコイルの一例の結線図。
【図６】従来のコアの巻線状態を示す図であり、（ａ）はコアをスクリーン側から見たときの断面図、（ｂ）は（ａ）に示した垂直偏向コイルの結線図。
【図７】従来のコアの巻線状態の別の例に係る図であり、（ａ）はコアをスクリーン側から見たときの断面図、（ｂ）は（ａ）に示した垂直偏向コイルの結線図。
【符号の説明】
【００５６】
１  陰極線管
２  偏向ヨーク
３  電子銃
６  コア
７  上側コア
８  下側コア
４８，６５  上側コア左側コイル
５１，６４  下側コア左側コイル
４９，６６  上側コア右側コイル
５０，６３  下側コア右側コイル
５３，５４，５７，５８，６８，６９，７２，７３  中間タップ
６０，７５  可変抵抗
６１，７６  固定抵抗
【図１】
2006190519.tif 000003
【図２】
2006190519.tif 000004
【図３】
2006190519.tif 000005
【図４】
2006190519.tif 000006
【図５】
2006190519.tif 000007
【図６】
2006190519.tif 000008
【図７】
2006190519.tif 000009